(57)【要約】【課題】ユーザがゲーム感覚でコンテンツを取得できるコンテンツ提供装置等を提供する。【解決手段】デジタル画像を撮影するカメラ４、デジタルコンテンツを記憶する第１記憶部９、デジタルコンテンツを再生する再生処理部１０、デジタル画像を表示するディスプレイ４を備えた撮影機器１に設けられる。コンテンツ提供装置１２は、提供用のデジタルコンテンツを記憶した第２記憶部１５、色情報を用いて設定された提供条件を記憶した提供条件記憶部１４、及びコンテンツ提供処理部１３を備える。コンテンツ提供処理部１３は、デジタル画像の特定部分の色情報を抽出する色情報抽出処理、提供条件記憶部１４内の提供条件を参照して、抽出した色情報が提供条件を満たしているかどうかを照合する処理、提供条件を満たしている場合、第２記憶部１５内のデジタルコンテンツを第１記憶部９に格納する処理を行う。【選択図】図１
2008059207.tif 000002
【特許請求の範囲】
【請求項１】
デジタル画像を撮影する撮影手段と、前記撮影手段によって撮影されたデジタル画像データを含むデジタルコンテンツを記憶する第１のコンテンツ記憶手段と、前記第１のコンテンツ記憶手段に格納されたデジタルコンテンツを再生するコンテンツ再生手段と、画像を表示するディスプレイとを備えた撮影機器に設けられるコンテンツ提供装置であって、
提供用のデジタルコンテンツを記憶した第２のコンテンツ記憶手段と、
前記第２のコンテンツ記憶手段に格納されたデジタルコンテンツを提供するための条件であって、色情報を用いて設定された提供条件を記憶した提供条件記憶手段と、
前記第１のコンテンツ記憶手段に格納されたデジタル画像データを読み出して、該デジタル画像の特定部分の色情報を抽出する色情報抽出処理と、抽出した色情報を基に前記提供条件記憶手段に格納された提供条件を参照して、該色情報が提供条件を満たしているかどうかを確認する照合処理と、色情報が提供条件を満たしている場合には、前記第２のコンテンツ記憶手段からデジタルコンテンツを読み出して前記第１のコンテンツ記憶手段に格納する処理とを行うコンテンツ提供手段とを備えてなることを特徴とするコンテンツ提供装置。
【請求項２】
電気通信回線を介して複数の端末装置と接続可能に設けられたコンテンツ提供サーバであって、
前記端末装置から送信された色情報を受信する色情報受信手段と、
デジタルコンテンツを記憶したコンテンツ記憶手段と、
前記コンテンツ記憶手段に格納されたデジタルコンテンツを提供するための条件であって、色情報を用いて設定された提供条件を記憶した提供条件記憶手段と、
前記色情報受信手段が受信した色情報を基に、前記提供条件記憶手段に格納された提供条件を参照して、該色情報が提供条件を満たしているかどうかを確認する照合処理と、色情報が提供条件を満たしている場合には、前記コンテンツ記憶手段からデジタルコンテンツを読み出して、該色情報を送信した端末装置に送信する送信処理とを行うコンテンツ提供手段とを備えてなることを特徴とするコンテンツ提供サーバ。
【請求項３】
電気通信回線を介して複数の端末装置と接続可能に設けられたコンテンツ提供サーバであって、
前記端末装置から送信されたデジタル画像データを受信する画像データ受信手段と、
デジタルコンテンツを記憶したコンテンツ記憶手段と、
前記コンテンツ記憶手段に格納されたデジタルコンテンツを提供するための条件であって、色情報を用いて設定された提供条件を記憶した提供条件記憶手段と、
前記画像データ受信手段が受信したデジタル画像の特定部分の色情報を抽出する色情報抽出処理と、抽出した色情報を基に前記提供条件記憶手段に格納された提供条件を参照して、該色情報が提供条件を満たしているかどうかを確認する照合処理と、色情報が提供条件を満たしている場合には、前記コンテンツ記憶手段からデジタルコンテンツを読み出して、該デジタル画像データを送信した端末装置に送信する送信処理とを行うコンテンツ提供手段とを備えてなることを特徴とするコンテンツ提供サーバ。
【請求項４】
電気通信回線を介して接続可能に設けられた複数の端末装置及びコンテンツ提供サーバを備えたコンテンツ提供システムであって、
前記各端末装置は、
デジタル画像を撮影する撮影手段と、
前記撮影手段によって撮影されたデジタル画像データを含むデジタルコンテンツを記憶する第１のコンテンツ記憶手段と、
前記第１のコンテンツ記憶手段に格納されたデジタルコンテンツを再生するコンテンツ再生手段と、
画像を表示するディスプレイと、
前記第１のコンテンツ記憶手段に格納されたデジタル画像データを読み出して、該デジタル画像の特定部分の色情報を抽出する色情報抽出手段と、
抽出した色情報を前記電気通信回線を介して前記コンテンツ提供サーバに送信する色情報送信手段と、
前記電気通信回線を介して前記コンテンツ提供サーバからデジタルコンテンツを受信し、受信したデジタルコンテンツを前記第１のコンテンツ記憶手段に格納するコンテンツ受信手段とを備え、
前記コンテンツ提供サーバは、
前記端末装置から送信される色情報を受信する色情報受信手段と、
デジタルコンテンツを記憶した第２のコンテンツ記憶手段と、
前記第２のコンテンツ記憶手段に格納されたデジタルコンテンツを提供するための条件であって、色情報を用いて設定された提供条件を記憶した提供条件記憶手段と、
前記色情報受信手段によって受信された色情報を基に前記提供条件記憶手段に格納された提供条件を参照して、該色情報が提供条件を満たしているかどうかを確認する照合処理と、色情報が提供条件を満たしている場合には、前記第２のコンテンツ記憶手段からデジタルコンテンツを読み出して、該色情報を送信した端末装置に送信する送信処理とを行うコンテンツ提供手段とを備えてなることを特徴とするコンテンツ提供システム。
【請求項５】
電気通信回線を介して接続可能に設けられた複数の端末装置及びコンテンツ提供サーバを備えたコンテンツ提供システムであって、
前記各端末装置は、
デジタル画像を撮影する撮影手段と、
前記撮影手段によって撮影されたデジタル画像データを含むデジタルコンテンツを記憶する第１のコンテンツ記憶手段と、
前記第１のコンテンツ記憶手段に格納されたデジタルコンテンツを再生するコンテンツ再生手段と、
画像を表示するディスプレイと、
前記第１のコンテンツ記憶手段に格納されたデジタル画像データを読み出して、前記電気通信回線を介して前記コンテンツ提供サーバに送信する画像送信手段と、
前記電気通信回線を介して前記コンテンツ提供サーバからデジタルコンテンツを受信し、受信したデジタルコンテンツを前記第１のコンテンツ記憶手段に格納するコンテンツ受信手段とを備え、
前記コンテンツ提供サーバは、
前記端末装置から送信される画像を受信する画像受信手段と、
デジタルコンテンツを記憶した第２のコンテンツ記憶手段と、
前記第２のコンテンツ記憶手段に格納されたデジタルコンテンツを提供するための条件であって、色情報を用いて設定された提供条件を記憶した提供条件記憶手段と、
前記画像受信手段によって受信されたデジタル画像の特定部分の色情報を抽出する色情報抽出処理と、抽出された色情報を基に前記提供条件記憶手段に格納された提供条件を参照して、該色情報が提供条件を満たしているかどうかを確認する照合処理と、色情報が提供条件を満たしている場合には、前記第２のコンテンツ記憶手段からデジタルコンテンツを読み出して、該デジタル画像データを送信した端末装置に送信する送信処理とを行うコンテンツ提供手段とを備えてなることを特徴とするコンテンツ提供システム。
【発明の詳細な説明】
【技術分野】
【０００１】
本発明は、ユーザに対し、画像，映像，音楽やゲームソフトなどに係るデジタルコンテンツを提供するコンテンツ提供装置，コンテンツ提供サーバ及びコンテンツ提供システムに関する。
【背景技術】
【０００２】
従来から、有償，無償を問わず、多数のユーザに対して、インターネットなどの電気通信回線を介してデジタルコンテンツを提供するためのコンテンツ提供システムが知られている。
【０００３】
例えば、特開２００６−１１３９２４号公報には、ネットワークを介して相互に通信可能となった画像変換サーバ及び画像表示情報管理サーバと、同じくこのネットワークを介して画像変換サーバと通信可能となった端末装置としての携帯電話とからなる画像表示システム（コンテンツ提供システム）が開示されている。尚、画像変換サーバには画像表示情報データベースが接続されている。
【０００４】
この画像表示システムでは、ユーザの携帯電話から画像変換サーバにアクセスがあり、当該ユーザから所望の画像ファイルについての送信要求があると、まず、当該画像変換サーバによって当該携帯電話の機種情報が認識されるとともに、認識された機種情報に対応した画像表示情報が画像表示情報データベースに格納されているかどうかが確認され、機種情報に対応した画像表示情報が格納されている場合には、ユーザの要求した画像ファイルが、当該画像表示情報に従ってこれに応じたフォーマットに変換され、変換された画像ファイルが要求のあった携帯電話に送信される。
【０００５】
一方、認識された機種情報に対応する画像表示情報が画像表示情報データベースに格納されていない場合には、前記画像変換サーバは、当該画像情報を送信するように前記画像表示情報管理サーバに要求するとともに、要求のあった画像ファイルを、一旦、デフォルトの画像表示情報に従ってこれに応じたフォーマットに変換する。そして、所定時間内に画像表示情報管理サーバから該当する画像表示情報が送信されてきた場合には、画像変換サーバは、受信した画像表示情報に従ってこれに応じたフォーマットに画像ファイルを再変換して要求のあった携帯電話に送信し、所定時間内に画像表示情報が送信されてこない場合には、デフォルトの画像表示情報に従って変換された画像ファイルを要求のあった携帯電話に送信する。
【０００６】
斯くして、この画像表示システムによれば、ユーザは、自身の携帯電話に応じて最適なフォーマットに変換された画像ファイルを入手することができる。
【０００７】
【特許文献１】特開２００６−１１３９２４号公報
【０００８】
尚、言うまでもなく、この画像表示システムは、従来のコンテンツ供給システムの一形態として例示したものであり、この種の従来のコンテンツ提供システムは、概ね、蓄積された多数のデジタルコンテンツの中から、ユーザが希望したものを当該ユーザに提供するような仕組みとなっている。
【発明の開示】
【発明が解決しようとする課題】
【０００９】
ところで、コンテンツの提供方法としては、上記従来の画像表示システムのように、ユーザが希望するものを提供するのが一般的ではあるが、この他に、ユーザ側が提供する情報が、予め設定した提供条件を満たしている場合にのみコンテンツを提供するといった方法も考えられる。
【００１０】
この場合、ユーザは、自身が提供した情報による当り，外れによって、コンテンツの提供を受けることができたり、できなかったりするため、ユーザは、ゲーム感覚でコンテンツの提供を受けることができ、ユーザにとっては、コンテンツを取得する際の楽しみが増すことになる。
【００１１】
このため、ユーザは、情報を提供することによるコンテンツの取得を、積極的に希望するようになり、ユーザは、より多くの情報を提供して、より多くのコンテンツを取得しようと試みることになる。
【００１２】
したがって、コンテンツを提供する側は、ユーザからより多くの有意義な情報を取得することができる。
【００１３】
本発明は、このような観点からなされたもので、ユーザがゲームを行うような感覚でコンテンツを取得することができ、また、コンテンツを提供する側が、より多くの情報をユーザから入手することが可能なコンテンツ提供装置，コンテンツ提供サーバ及びコンテンツ提供システムの提供を、その目的とする。
【課題を解決するための手段】
【００１４】
上記目的を達成するための本発明は、デジタル画像を撮影する撮影手段と、前記撮影手段によって撮影されたデジタル画像データを含むデジタルコンテンツを記憶する第１のコンテンツ記憶手段と、前記第１のコンテンツ記憶手段に格納されたデジタルコンテンツを再生するコンテンツ再生手段と、画像を表示するディスプレイとを備えた撮影機器に設けられるコンテンツ提供装置であって、
提供用のデジタルコンテンツを記憶した第２のコンテンツ記憶手段と、
前記第２のコンテンツ記憶手段に格納されたデジタルコンテンツを提供するための条件であって、色情報を用いて設定された提供条件を記憶した提供条件記憶手段と、
前記第１のコンテンツ記憶手段に格納されたデジタル画像データを読み出して、該デジタル画像の特定部分の色情報を抽出する色情報抽出処理と、抽出した色情報を基に前記提供条件記憶手段に格納された提供条件を参照して、該色情報が提供条件を満たしているかどうかを確認する照合処理と、色情報が提供条件を満たしている場合には、前記第２のコンテンツ記憶手段からデジタルコンテンツを読み出して前記第１のコンテンツ記憶手段に格納する処理とを行うコンテンツ提供手段とを備えたコンテンツ提供装置に係る。
【００１５】
このコンテンツ提供装置によれば、まず、撮影手段によって適宜デジタル画像が撮影され、撮影されたデジタル画像データが第１のコンテンツ記憶手段に格納される。この第１のコンテンツ記憶手段に格納されたデジタルコンテンツは、コンテンツ再生手段によって再生可能であり、コンテンツが静止画像や動画像を含む場合には、これがディスプレイに表示される。
【００１６】
尚、本発明におけるデジタルコンテンツには、上記静止画像や動画像の他、音楽，ゲームソフトなど各種のコンテンツが含まれる。
【００１７】
また、コンテンツ再生手段は、第１のコンテンツ記憶手段に格納されたデジタルコンテンツのみを再生することができるようになっており、前記第２のコンテンツ記憶手段に格納されたデジタルコンテンツについては、これを再生することができない。
【００１８】
前記コンテンツ提供手段は、まず、前記第１のコンテンツ記憶手段に格納されたデジタル画像データを読み出して、このデジタル画像の特定部分の色情報（ＲＧＢ値又はＣＭＹＫ値など）を抽出する色情報抽出処理を行う。尚、色情報の抽出は、対象のデジタル画像の内、例えば、予め設定された特定部位の画素、若しくはユーザが任意に選択した画素についてこれを抽出しても良く、或いは予め設定された領域内にある全画素、若しくは、ユーザが任意に選択した領域内にある全画素について色情報を抽出し、これの平均値をとっても良い。
【００１９】
ついで、コンテンツ提供手段は、抽出した色情報を基に前記提供条件記憶手段に格納された提供条件を参照して、この色情報が提供条件を満たしているかどうかを確認する照合処理を行う。上記のように、提供条件記憶手段には、第２のコンテンツ記憶手段に格納されたデジタルコンテンツを提供するための条件であって、色情報を用いて設定された提供条件が格納されている。この提供条件は、デジタル画像データから抽出される色情報、例えば、ＲＧＢ値やＣＭＹＫ値などを用いて予め設定され、前記提供条件記憶手段に格納されている。
【００２０】
そして、コンテンツ提供手段は、抽出した色情報が提供条件を満たしている場合には、前記第２のコンテンツ記憶手段からデジタルコンテンツを読み出して前記第１のコンテンツ記憶手段に格納する処理を行う。
【００２１】
このようにして、第２のコンテンツ記憶手段内のデジタルコンテンツが第１のコンテンツ記憶手段に格納されると、撮影機器を使用するユーザは、提供されたデジタルコンテンツをコンテンツ再生手段によって再生することができるようになり、例えば、提供されたデジタルコンテンツが静止画像や動画像である場合には、これがディスプレイに表示され、ゲームソフトである場合には、当該ゲームソフトが実行され、ゲーム用の画像がディスプレイに表示される。
【００２２】
斯くして、このコンテンツ提供装置によれば、撮影手段によって適宜デジタル画像を撮影することで、当該デジタル画像から抽出される色情報が所定の条件を満たしている場合には、適宜デジタルコンテンツが提供され、再生可能な状態にされる、言い換えれば、撮影機器を使用するユーザが、当該デジタルコンテンツを利用可能になる。
【００２３】
このように、本発明に係るコンテンツ提供装置によれば、ユーザは、ゲームを楽しむ感覚で、デジタルコンテンツを入手することができる。
【００２４】
尚、本発明における撮影機器としては、例えば、携帯電話やデジタルカメラ，ビデオカメラといった機器を挙げることができるが、これらに限定されるものではない。
【００２５】
また、本発明は、電気通信回線を介して接続可能に設けられた複数の端末装置及びコンテンツ提供サーバを備えたコンテンツ提供システムであって、
前記各端末装置は、
デジタル画像を撮影する撮影手段と、
前記撮影手段によって撮影されたデジタル画像データを含むデジタルコンテンツを記憶する第１のコンテンツ記憶手段と、
前記第１のコンテンツ記憶手段に格納されたデジタルコンテンツを再生するコンテンツ再生手段と、
画像を表示するディスプレイと、
前記第１のコンテンツ記憶手段に格納されたデジタル画像データを読み出して、該デジタル画像の特定部分の色情報を抽出する色情報抽出手段と、
抽出した色情報を前記電気通信回線を介して前記コンテンツ提供サーバに送信する色情報送信手段と、
前記電気通信回線を介して前記コンテンツ提供サーバからデジタルコンテンツを受信し、受信したデジタルコンテンツを前記第１のコンテンツ記憶手段に格納するコンテンツ受信手段とを備え、
前記コンテンツ提供サーバは、
前記端末装置から送信される色情報を受信する色情報受信手段と、
デジタルコンテンツを記憶した第２のコンテンツ記憶手段と、
前記第２のコンテンツ記憶手段に格納されたデジタルコンテンツを提供するための条件であって、色情報を用いて設定された提供条件を記憶した提供条件記憶手段と、
前記色情報受信手段によって受信された色情報を基に前記提供条件記憶手段に格納された提供条件を参照して、該色情報が提供条件を満たしているかどうかを確認する照合処理と、色情報が提供条件を満たしている場合には、前記第２のコンテンツ記憶手段からデジタルコンテンツを読み出して、該色情報を送信してきた端末装置に送信する送信処理とを行うコンテンツ提供手段とを備えたコンテンツ提供システムに係る。
【００２６】
このコンテンツ提供システムによれば、まず、端末装置の撮影手段によって適宜デジタル画像が撮影され、撮影されたデジタル画像データが第１のコンテンツ記憶手段に格納される。この第１のコンテンツ記憶手段に格納されたデジタルコンテンツは、コンテンツ再生手段によって再生可能であり、コンテンツが静止画像や動画像を含む場合には、これがディスプレイに表示される。
【００２７】
そして、色情報抽出手段は、前記第１のコンテンツ記憶手段に格納されたデジタル画像データを読み出して、このデジタル画像の特定部分の色情報を抽出する抽出処理を行い、抽出された色情報が、色情報送信手段によってコンテンツ提供サーバに送信される。
【００２８】
尚、前記端末装置としては、上記撮影機器と同様に、携帯電話やデジタルカメラ，ビデオカメラといった装置を挙げることができるが、これらに限定されるものではない。
【００２９】
端末装置からコンテンツ提供サーバに色情報が送信されると、コンテンツ提供サーバでは、送信された色情報が色情報受信手段によって受信される。
【００３０】
ついで、コンテンツ提供手段により、まず、受信された色情報を基に提供条件記憶手段に格納された提供条件を参照して、該色情報が提供条件を満たしているかどうかを確認する照合処理が行われ、ついで、色情報が提供条件を満たしている場合には、前記第２のコンテンツ記憶手段から適宜デジタルコンテンツを読み出して、該色情報を送信してきた端末装置に送信する送信処理が行われる。
【００３１】
そして、当該端末装置では、コンテンツ提供サーバから送信されてきたデジタルコンテンツをコンテンツ受信手段によって受信し、受信したデジタルコンテンツを前記第１のコンテンツ記憶手段に格納する。
【００３２】
斯くして、端末装置では、コンテンツ提供サーバから送信され、第１のコンテンツ記憶手段に格納されたデジタルコンテンツをコンテンツ再生手段によって再生することができるようになる。
【００３３】
このように、本発明に係るコンテンツ提供システムによると、各端末装置においては、撮影手段によって適宜デジタル画像を撮影することで、当該デジタル画像から抽出される色情報が所定の提供条件を満たしている場合には、デジタルコンテンツをコンテンツ提供サーバから入手することができ、当該端末装置を使用するユーザは、ゲームを楽しむ感覚で、デジタルコンテンツを入手することができる。
【００３４】
そして、このようにゲーム感覚でコンテンツを入手することができるので、ユーザは、コンテンツの取得をより積極的に希望するようになる。したがって、コンテンツ提供サーバを運営するコンテンツ提供者は、ユーザからより多くの当該ユーザに関わる情報を取得することが可能となる。そして、このようにして取得したユーザ関連情報を分析，解析することで、統計情報を作成したり、そのトレンドを把握することができるようになる。
【００３５】
尚、このコンテンツ提供システムでは、端末装置において色情報を抽出するようにしたが、コンテンツ提供サーバにおいて色情報を抽出するようにしても良い。
【００３６】
この場合、前記端末装置は、デジタル画像を撮影する撮影手段と、前記撮影手段によって撮影されたデジタル画像データを含むデジタルコンテンツを記憶する第１のコンテンツ記憶手段と、前記第１のコンテンツ記憶手段に格納されたデジタルコンテンツを再生するコンテンツ再生手段と、画像を表示するディスプレイと、前記第１のコンテンツ記憶手段に格納されたデジタル画像データを読み出して、前記電気通信回線を介して前記コンテンツ提供サーバに送信する画像送信手段と、前記電気通信回線を介して前記コンテンツ提供サーバからデジタルコンテンツを受信し、受信したデジタルコンテンツを前記第１のコンテンツ記憶手段に格納するコンテンツ受信手段とを備え、
前記コンテンツ提供サーバは、前記端末装置から送信される画像を受信する画像受信手段と、デジタルコンテンツを記憶した第２のコンテンツ記憶手段と、前記第２のコンテンツ記憶手段に格納されたデジタルコンテンツを提供するための条件であって、色情報を用いて設定された提供条件を記憶した提供条件記憶手段と、前記画像受信手段によって受信されたデジタル画像の特定部分の色情報を抽出する色情報抽出処理と、抽出された色情報を基に前記提供条件記憶手段に格納された提供条件を参照して、該色情報が提供条件を満たしているかどうかを確認する照合処理と、色情報が提供条件を満たしている場合には、前記第２のコンテンツ記憶手段からデジタルコンテンツを読み出して、該デジタル画像データを送信してきた端末装置に送信する送信処理とを行うコンテンツ提供手段とを備えて構成される。
【発明の効果】
【００３７】
以上述べたように、本発明に係るコンテンツ提供装置によれば、撮影機器を使用するユーザが、当該撮影機器を用いてデジタル画像を撮影することで、このデジタル画像から抽出される色情報が所定の提供条件を満たしている場合に、これに対応したデジタルコンテンツを入手することができるので、ユーザは、ゲームを楽しむ感覚で、デジタルコンテンツを入手することができる。
【００３８】
また、撮影手段を備えた複数の端末装置とコンテンツ提供サーバとを、電気通信回線を介して接続可能に構成したコンテンツ提供システムによれば、端末装置を使用するユーザがゲーム感覚でデジタルコンテンツを入手することができる一方、コンテンツ提供サーバを運営するコンテンツ提供者は、ユーザからより多くの当該ユーザに関わる関連情報を取得することができ、このようにして取得したユーザ関連情報を分析，解析することで、統計情報を作成したり、そのトレンドを把握したりすることができる。
【発明を実施するための最良の形態】
【００３９】
以下、本発明の具体的な実施の形態について説明する。
【００４０】
（第１の実施形態）
図１乃至図４に基づいて、本発明の第１の実施形態について説明する。図１は、第１の実施形態に係るコンテンツ提供装置を備えた携帯電話の概略構成を示す機能ブロック図である。
【００４１】
本例の携帯電話１は、ＣＰＵ，ＲＡＭ及びＲＯＭなどから構成されるプロセッサや、マイク２、スピーカ３、カメラ４、ディスプレイ５、入力キー６、通信インターフェース７といったハードウエアから構成される。
【００４２】
そして、このプロセッサは、図１に示すように、撮影処理部８，第１コンテンツ記憶部９，コンテンツ再生処理部１０及び通話処理部１１といった携帯電話として従来公知の中核的な機能部と、コンテンツ提供処理部１３，提供条件記憶部１４及び第２コンテンツ記憶部１５からなるコンテンツ提供装置１２としての機能部とを構成する。
【００４３】
尚、前記マイク２，スピーカ３，カメラ４，ディスプレイ５，入力キー６，通信インターフェース７，撮影処理部８，第１コンテンツ記憶部９，コンテンツ再生処理部１０，通話処理部１１，コンテンツ提供処理部１３，提供条件記憶部１４及び第２コンテンツ記憶部１５は相互にバスラインによって接続されている。
【００４４】
最初に、携帯電話としての上記中核的な機能部について、その概略を説明するが、上記のように、かかる中核的な機能部は従来公知であるため、その詳しい説明は省略する。
【００４５】
まず、前記通話処理部１１は、電話としての通話処理を行う処理部であり、前記マイク２，スピーカ３及び通信インターフェース７を介して、外部との通話を実現する。
【００４６】
また、第１コンテンツ記憶部９には、静止画像や動画像の他、音楽，ゲームソフトといった各種のデジタルコンテンツを格納可能であり、これらデジタルコンテンツが適宜予め格納されている。
【００４７】
前記撮影処理部８は、カメラ４を駆動，制御して画像を撮影する処理部であり、前記入力キー６を介して外部から入力される指示に従って、カメラ４を駆動，制御して画像を撮影するとともに、撮影したデジタル画像データを前記第１コンテンツ記憶部９に格納する処理を行う。
【００４８】
また、前記コンテンツ再生処理部１０は、前記第１コンテンツ記憶部９に格納されたデジタルコンテンツを再生する処理部であり、同じく、前記入力キー６を介して外部から入力される指示に従って、第１コンテンツ記憶部９に格納されたデジタルコンテンツを再生する処理を行う。例えば、静止画像である場合には、ディスプレイ５に当該静止画像を表示し、動画像である場合には当該動画をディスプレイ５に表示する。また、ゲームソフトである場合には、このゲームソフトを実行し、これに含まれる静止画像や動画像をディスプレイ５に表示させつつ、入力キー６を介して外部から入力される指示に従って、ゲームを進行させる。
【００４９】
尚、このコンテンツ再生処理部１０は、第１コンテンツ記憶部９にのみアクセス可能であり、前記第２コンテンツ記憶部１４にはアクセスできないようになっている。
【００５０】
次に、前記コンテンツ提供装置１２について説明する。上記のように、このコンテンツ提供装置１２は、コンテンツ提供処理部１３，提供条件記憶部１４及び第２コンテンツ記憶部１５から構成される。
【００５１】
第２コンテンツ記憶部１５は、提供対象のデジタルコンテンツを記憶する機能部であり、このデジタルコンテンツが適宜予め格納される。尚、この第２コンテンツ記憶部１５に格納されるデジタルコンテンツも、上記と同様に、静止画像や動画像の他、音楽，ゲームソフトといった各種のデジタルコンテンツが含まれる。
【００５２】
前記提供条件記憶部１４は、前記第２コンテンツ記憶部１５に格納されたデジタルコンテンツを提供するための条件であって、デジタル画像データから抽出される色情報、例えば、ＲＧＢ値やＣＭＹＫ値を用いて設定された提供条件を記憶する機能部である。
【００５３】
この提供条件は、特定のＲＧＢ値やＣＭＹＫ値（例えば、Ｒ＝３５，Ｇ＝７５，Ｂ＝１５５、Ｃ＝１１２，Ｍ＝２３，Ｙ＝１６，Ｋ＝２５など）に設定したり、特定範囲のＲＧＢ値やＣＭＹＫ値（例えば、Ｒ＝１〜１００，Ｇ＝１〜５０，Ｂ＝５５〜１５５、Ｃ＝５０〜１００，Ｍ＝３０〜５０，Ｙ＝１〜３０，Ｋ＝１００〜１５５など）に設定したり、ＲＧＢ値やＣＭＹＫ値における相互間の相関関係（例えば、Ｒ＜Ｇ＜Ｂ，Ｃ＜Ｍ＜Ｙ＜Ｋなど）として設定することができ、また、特定のＲＧＢ値やＣＭＹＫ値と特定のデジタルコンテンツとを関連付けた条件とすることができる。この場合、色情報とデジタルコンテンツとの対応関係がデータテーブルとして提供条件記憶部１４に格納される。
【００５４】
前記コンテンツ提供処理部１３は、第１コンテンツ記憶部９に格納されたデジタル画像データを読み出して、このデジタル画像の特定部分の色情報を抽出する色情報抽出処理と、抽出した色情報を基に提供条件記憶部１４に格納された提供条件を参照して、該色情報が提供条件を満たしているかどうかを確認する照合処理と、色情報が提供条件を満たしている場合には、第２コンテンツ記憶部１５からデジタルコンテンツを読み出して第１コンテンツ記憶部９に格納する処理とを行う。
【００５５】
具体的には、コンテンツ提供処理部１３は図２に示した手順に従って処理を行う。
【００５６】
即ち、処理を開始後、コンテンツ提供処理部１３は、まず、ディスプレイ５に操作説明用の画面を表示する（ステップＳ１）。この後、撮影処理部８を介してカメラ４を起動し、ユーザが画像を撮影するのを待つ（ステップＳ２，Ｓ３）。カメラ４によって画像が撮影され、撮影された画像が第１コンテンツ記憶部９に格納されると、この第１コンテンツ記憶部９に格納された画像を読み出し、前記コンテンツ再生処理部１０を介してディスプレイ５にその画像を表示させる（ステップＳ４）。
【００５７】
ついで、表示された画像で良いか、即ち、再撮影する意思が有るか無いかをユーザに確認する画面をディスプレイ５に表示して、現在表示されている画像をユーザが選択する場合には次ステップに進み、ユーザが再撮影を希望する場合には、ユーザが満足するまで、ステップＳ３〜Ｓ５の撮影処理を繰り返す。
【００５８】
ステップＳ６では、ディスプレイ５に表示されたデジタル画像データから、図３に示すような、予め設定された特定部位Ａの画素について、その色情報を抽出する（ステップＳ６）。
【００５９】
ついで、提供条件記憶部１４に格納された提供条件を参照して、抽出した色情報が提供条件を満たしているかどうかを確認する照合処理を行い（ステップＳ７）、照合した結果をディスプレイ５に表示する（ステップＳ８）。即ち、照合した結果、色情報が提供条件を満たしており、提供すべきコンテンツがある場合には、その旨をディスプレイ５に表示し、色情報が提供条件を満たしておらず、コンテンツを提供できない場合には、その旨をディスプレイ５に表示する。
【００６０】
そして、提供可能なデジタルコンテンツがある場合には、第２コンテンツ記憶部１５に格納された該当のデジタルコンテンツを読み出して、これを第１コンテンツ記憶部９に格納する処理を行うとともに、格納したデジタルコンテンツを前記コンテンツ再生処理部１０を介して再生する処理を行う（ステップＳ９〜Ｓ１１）。以降、ユーザが処理の継続を希望する場合にはステップＳ１〜Ｓ１１の処理を繰り返し、処理の終了を希望する場合には処理を終了する（ステップＳ１２）。
【００６１】
尚、色情報が提供条件を満たした場合に、どのデジタルコンテンツを提供するかといった提供の態様については、様々な態様をとることができる。例えば、上記のように、提供条件が特定のＲＧＢ値やＣＭＹＫ値に設定されていたり、これらの相関関係（例えば、Ｒ＜Ｇ＜Ｂ，Ｃ＜Ｍ＜Ｙ＜Ｋなど）として設定されている場合に、第２コンテンツ記憶部１５に格納されたデジタルコンテンツが複数ある場合には、これらの複数のデジタルコンテンツから無作為に単数若しくは複数のデジタルコンテンツを抽出して提供するようにしても良く、或いは、全てを提供するようにしても良く、或いは、格納されたデジタルコンテンツのリストをディスプレイ５に表示してユーザに選択させ、ユーザの選択したデジタルコンテンツを提供するようにしても良い。また、色情報とデジタルコンテンツとの対応関係がデータテーブルとして提供条件記憶部１４に格納されている場合には、色情報に対応したデジタルコンテンツが提供される。
【００６２】
斯くして、以上の構成を備えた本例の携帯電話１によれば、コンテンツ提供処理部１３による処理が開始されると、まず、撮影処理部８によって適宜デジタル画像が撮影され、撮影されたデジタル画像データが第１コンテンツ記憶部９に格納される。
【００６３】
この第１コンテンツ記憶部９に格納されたデジタル画像データは、コンテンツ再生処理部１０によってディスプレイ５に表示されるとともに、予め設定された特定画素の色情報が抽出され、抽出された色情報が提供条件記憶部１４に格納された提供条件を満たすかどうかが照合される。
【００６４】
そして、照合の結果、色情報が提供条件を満たしており、デジタルコンテンツが提供される場合には、その旨がディスプレイ５に表示されるとともに、適宜デジタルコンテンツが第２コンテンツ記憶部１５から読み出されて、第１コンテンツ記憶部９に格納される一方、色情報が提供条件を満たしていない場合には、コンテンツを提供できない旨がディスプレイ５に表示される。
【００６５】
そして、提供されたデジタルコンテンツが第１コンテンツ記憶部９に格納されると、以後、コンテンツ再生処理部１０によって当該デジタルコンテンツを再生することができるようになる。
【００６６】
このように、本例の携帯電話１によれば、カメラ４によって適宜デジタル画像を撮影することで、当該デジタル画像から抽出される色情報が所定の提供条件を満たしている場合には、それまで再生不可な状態にあった適宜デジタルコンテンツが再生可能な状態にされる。言い換えれば、携帯電話１を使用するユーザが、当該デジタルコンテンツを利用可能な状態となる。
【００６７】
したがって、ユーザは、恰もゲームを楽しむような感覚で、デジタルコンテンツを入手することができる。
【００６８】
尚、本例では、携帯電話１にコンテンツ提供装置１２を組み込んだ例を示したが、このコンテンツ提供装置１２を組み込むことができる対象は、これに限るものではなく、この他、デジタルカメラやビデオカメラといった撮影機能を有する他の撮影機器にも組み込むことができる。
【００６９】
また、本例では、デジタル画像の特定の画素について、その色情報を抽出するようにしたが、これに限るものではなく、例えば、ユーザに抽出対象の画素を選択させ、選択された画素について色情報を抽出するようにしても良い。或いは、図４に示すように、一つの画像に対して設定される複数の領域（エリア１〜４）の内、予め設定された領域（例えば、エリア２）の全画素の色情報を抽出してその平均値を算出するようにしても良く、或いは、ユーザに領域を選択させ、選択された領域の全画素の色情報を抽出してその平均値を算出するようにしても良い。
【００７０】
また、本例では、カメラを用いて新たに撮影されたデジタル画像を基に、その色情報を抽出するようにしたが、これに限るものではなく、第１コンテンツ記憶部９内に予め格納されたデジタル画像を用いて、色情報を抽出するようにしても良い。この場合、コンテンツ提供処理部１３は、上記ステップＳ１の処理の後、第１コンテンツ記憶部９内に格納されたデジタル画像から一つのデジタル画像をユーザに選択させる処理を行った後、上記ステップＳ６以降の処理を実行する。
【００７１】
（第２の実施形態）
次に、本発明の第２の実施形態について、図５乃至図９に基づき説明する。
【００７２】
図５に示すように、本例のコンテンツ提供システム２０は、複数の端末装置２１と、コンテンツ提供サーバ３０と、これらを相互に接続するインターネットなどの電気通信回線２５とから構成される。
【００７３】
図６に示すように、端末装置２１は携帯電話から構成され、上例の携帯電話１と同様に、ＣＰＵ，ＲＡＭ及びＲＯＭなどから構成されるプロセッサの他、マイク２、スピーカ３、カメラ４、ディスプレイ５、入力キー６、通信インターフェース７といったハードウエアから構成される。
【００７４】
そして、このプロセッサには、図６に示すように、撮影処理部８，コンテンツ記憶部９’，コンテンツ再生処理部１０，通話処理部１１，色情報抽出処理部２２，色情報送信処理部２３，コンテンツ受信処理部２４といった機能部が構成されている。
【００７５】
尚、マイク２，スピーカ３，カメラ４，ディスプレイ５，入力キー６，通信インターフェース７，撮影処理部８，コンテンツ再生処理部１０及び通話処理部１１については、上例の携帯電話１におけるものと同様の構成であるので、同一の符号を付して、その説明を省略する。また、コンテンツ記憶部９’についても、上例の第１コンテンツ記憶部９と同じ構成であるので、その説明を省略する。
【００７６】
前記色情報抽出処理部２２は、図８に示した、ステップＳ２１〜Ｓ２６の処理を行う。具体的には、コンテンツを入手するための一連の処理を開始する信号を受信して、まず、ディスプレイ５に操作説明用の画面を表示する（ステップＳ２１）。この後、撮影処理部８を介してカメラ４を起動し、ユーザが画像を撮影するのを待つ（ステップＳ２２，Ｓ２３）。カメラ４によって画像が撮影され、撮影された画像がコンテンツ記憶部９’に格納されると、このコンテンツ記憶部９’に格納された画像を読み出し、コンテンツ再生処理部１０を介してディスプレイ５にその画像を表示させる（ステップＳ２４）。
【００７７】
ついで、表示された画像で良いか、即ち、再撮影する意思が有るか無いかをユーザに確認する画面をディスプレイ５に表示して、現在表示されている画像をユーザが選択する場合には次ステップに進み、ユーザが再撮影を希望する場合には、ユーザが満足するまで、ステップＳ２３〜Ｓ２５の撮影処理を繰り返す。
【００７８】
そして、ステップＳ２６では、ディスプレイ５に表示されたデジタル画像データから、上例の第１の実施形態、又はその変形例として説明した態様で色情報を抽出する（ステップＳ２６）。
【００７９】
尚、この例では、カメラ４を用いて新たに撮影されたデジタル画像から色情報を抽出するようにしたが、これに限られるものではなく、第１の実施形態で述べたように、予めカメラ４を用いて撮影され、コンテンツ記憶部９’に格納されたデジタル画像の内、ユーザが適宜選択したデジタル画像から色情報を抽出するようにしても良い。
【００８０】
色情報送信処理部２３は、図８に示したステップＳ２７の処理を行う。即ち、前記色情報抽出処理部２２によって、色情報が抽出されると、色情報送信処理部２３は、通信インターフェース７及び電気通信回線２５を介して、前記コンテンツ提供サーバ３０にアクセスし、抽出された色情報を、当該端末装置２１のユーザが所有する電子メールアドレスとともにコンテンツ提供サーバ３０に送信する。
【００８１】
また、コンテンツ受信処理部２４は、図８に示した、ステップＳ２８〜Ｓ３２の処理を行う。即ち、コンテンツ受信処理部２４は、送信された色情報についての照合結果及びデジタルコンテンツをコンテンツ提供サーバ３０から受信し（ステップＳ２８，Ｓ３０）、照合結果を受信すると、その内容をディスプレイ５に表示し（ステップＳ２９）、デジタルコンテンツを受信した場合には、受信したデジタルコンテンツをコンテンツ再生処理部１０によって再生するとともに、これをコンテンツ記憶部９’に格納する（ステップＳ３１）。そして、以降、ユーザが処理の継続を希望する場合には、ステップＳ２１〜Ｓ３１の処理が繰り返されるように、色情報抽出処理部２２に処理継続信号を送信して処理を継続させ、ユーザが処理の終了を希望する場合には当該処理を終了する（ステップＳ３２）。
【００８２】
前記コンテンツ提供サーバ３０は、ＣＰＵ，ＲＡＭ及びＲＯＭなどから構成されるコンピュータ及び通信インターフェース３６から構成され、コンピュータは、図７に示すように、色情報受信処理部３１，コンテンツ提供処理部３２，提供条件記憶部３３，提供コンテンツ記憶部３４及びデータベース３５の各機能部を構成する。
【００８３】
提供コンテンツ記憶部３４には、上例の第２コンテンツ記憶部１５と同様に、提供対象のデジタルコンテンツが適宜予め格納される。また、提供条件記憶部３３には、上例の提供条件記憶部１４と同様に、提供コンテンツ記憶部３４に格納されたデジタルコンテンツを提供するための条件であって、デジタル画像データから抽出される色情報を用いて設定された提供条件が予め格納されている。
【００８４】
前記色情報受信処理部３１は、図９に示したステップＳ４１及びＳ４２の処理を行う。即ち、色情報受信処理部３１は、端末装置２１からアクセスがあり、当該端末装置２１から色情報及び電子メールアドレスが送信されたかどうかを確認し（ステップＳ４１）、色情報及び電子メールアドレスが送信された場合には、これを受信して、データベースに格納する処理を行う（ステップＳ４２）。
【００８５】
前記コンテンツ提供処理部３２は、図９に示したステップＳ４３〜Ｓ４７の処理を行う。即ち、コンテンツ提供処理部３２は、まず、前記色情報受信処理部３１によって受信された色情報を基に、提供条件記憶部３３に格納された提供条件を参照して、当該色情報が提供条件を満たしているかどうかを確認する照合処理を行う（ステップＳ４３）。
【００８６】
そして、色情報が提供条件を満たしている場合には、提供コンテンツ記憶部３４からデジタルコンテンツを読み出すとともに（ステップＳ４４，Ｓ４５）、当該色情報に対応する電子メールアドレスをデータベース３５から読み出して、当該電子メールアドレスに、読み出したデジタルコンテンツを添付ファイルとして送信する処理とを行う（ステップＳ４６）。以降、処理を継続する場合には、ステップＳ４１〜Ｓ４６の処理を繰り返し、処理を終了する場合には当該一連の処理を終了する（ステップＳ４７）。
【００８７】
斯くして、以上の構成を備えた本例のコンテンツ提供システム２０によれば、まず、端末装置２１の色情報抽出処理部２２によって、当該端末装置２１のユーザが選択したデジタル画像データの色情報が抽出され、抽出された色情報が、色情報送信処理部２３によって、当該ユーザの電子メールアドレスとともにコンテンツ提供サーバ３０に送信される。
【００８８】
そして、コンテンツ提供サーバ３０では、受信した色情報を基に、この色情報がコンテンツを提供するための条件を満たしているかどうかが、コンテンツ提供処理部３２によって照合され、条件を満たしている場合には、当該色情報を送信した端末装置２１に対して、コンテンツ提供サーバ３０から適宜デジタルコンテンツが送信される。
【００８９】
そして、コンテンツ提供サーバ３０からデジタルコンテンツを受信した端末装置２１では、このデジタルコンテンツがコンテンツ受信処理部２４によってコンテンツ記憶部９’に格納されるとともに、コンテンツ再生処理部２２によって再生される、
【００９０】
尚、前記色情報送信処理部２３によってコンテンツ提供サーバ３０に送信される情報には、上記の色情報及びデジタルコンテンツを返信するための情報が不可欠であるが、コンテンツ提供サーバ３０は、他のユーザ関連情報を当該端末装置２１に要求して入手するようにしても良い。この場合、これらの情報が相互に関連付けられてデータベース３５に格納される。
【００９１】
また、デジタルコンテンツを返信する態様は、上記の電子メールへのファイル添付形式に限られず、ダウンロード形式でこれを返信するようにしても良い。
【００９２】
以上詳述したように、本例のコンテンツ提供システム２０によれば、各端末装置２１において、適宜デジタル画像を撮影することで、当該デジタル画像から抽出される色情報が所定の条件を満たしている場合には、コンテンツ提供サーバ３０から適宜デジタルコンテンツを入手することができ、当該端末装置２１を使用するユーザは、ゲームを楽しむ感覚で、デジタルコンテンツを入手することができる。
【００９３】
そして、このようにゲーム感覚でコンテンツを入手することができるので、ユーザは、コンテンツの取得をより積極的に希望するようになる。したがって、コンテンツ提供サーバ３０を運営するコンテンツ提供者は、ユーザからより多くの当該ユーザに関わる情報を取得することが可能となる。斯くして、このようにして取得したユーザ関連情報を分析，解析することで、統計情報を作成したり、そのトレンドを把握したりすることができる。
【００９４】
尚、このコンテンツ提供システム２０では、端末装置２１において色情報を抽出するように構成したが、コンテンツ提供サーバ３０において色情報を抽出するようにしても良い。
【００９５】
この場合、前記端末装置２１は図１０に示すように構成され、コンテンツ提供サーバ３０は図１１に示すように構成される。
【００９６】
図１０に示すように、この例の端末装置２１は、上記色情報抽出処理部２２及び色情報送信処理部２３に代えて、画像送信処理部４１を備えている。
【００９７】
この画像送信処理部４１は、図１２に示したステップＳ５１〜Ｓ５６の処理を行う。即ち、画像送信処理部４１は、コンテンツを入手するための一連の処理を開始する信号を受信して、まず、ディスプレイ５に操作説明用の画面を表示する（ステップＳ５１）。この後、撮影処理部８を介してカメラ４を起動し、ユーザが画像を撮影するのを待つ（ステップＳ５２，Ｓ５３）。カメラ４によって画像が撮影され、撮影された画像がコンテンツ記憶部９’に格納されると、このコンテンツ記憶部９’に格納された画像を読み出し、コンテンツ再生処理部１０を介してディスプレイ５にその画像を表示させる（ステップＳ５４）。
【００９８】
ついで、表示された画像で良いか、即ち、再撮影する意思が有るか無いかをユーザに確認する画面をディスプレイ５に表示して、現在表示されている画像をユーザが選択する場合には次ステップに進み、ユーザが再撮影を希望する場合には、ユーザが満足するまで、ステップＳ５３〜Ｓ５５の撮影処理を繰り返す。
【００９９】
そして、色情報送信処理部２３は、ステップＳ２７において、通信インターフェース７及び電気通信回線２５を介して前記コンテンツ提供サーバ３０にアクセスし、ディスプレイ５に表示されたデジタル画像データを、当該端末装置２１のユーザが所有する電子メールアドレスとともにコンテンツ提供サーバ３０に送信する。
【０１００】
一方、図１１に示すように、コンテンツ提供サーバ３０は、上記色情報受信処理部３１に代えて画像受信処理部５１を備え、上記コンテンツ提供処理部３２に代えてコンテンツ提供処理部５２を備える。
【０１０１】
画像受信処理部５１は、図１３に示したステップＳ７１及びＳ７２の処理を行う。即ち、画像受信処理部５１は、端末装置２１からアクセスされ、当該端末装置２１からデジタル画像データ及び電子メールアドレスが送信されたかどうかを確認し（ステップＳ７１）、デジタル画像データ及び電子メールアドレスが送信された場合には、これを受信して、データベースに格納する処理を行う（ステップＳ７２）。
【０１０２】
また、コンテンツ提供処理部５２は、図１３に示したステップＳ７３〜Ｓ７８の処理を行う。即ち、コンテンツ提供処理部５２は、まず、端末装置２１から受信したデジタル画像データから、上例の第１の実施形態、又はその変形例として説明した態様で色情報を抽出する（ステップＳ７３）。
【０１０３】
ついで、抽出した色情報を基に、提供条件記憶部３３に格納された提供条件を参照して、該色情報が提供条件を満たしているかどうかを確認する照合処理を行う（ステップＳ７４）。
【０１０４】
そして、色情報が提供条件を満たしている場合には、提供コンテンツ記憶部３４からデジタルコンテンツを読み出すとともに（ステップＳ７５，Ｓ７６）、当該デジタル画像データに対応する電子メールアドレスをデータベースから読み出し、当該電子メールアドレスに、読み出したデジタルコンテンツを添付ファイルとして送信する処理とを行う（ステップＳ７７）。そして、以降、処理を継続する場合には、ステップＳ７１〜Ｓ７７の処理を繰り返し、処理を終了する場合には当該一連の処理を終了する（ステップＳ７８）。
【０１０５】
このコンテンツ提供システム２０によっても、上記と同様に、各端末装置２１において、適宜デジタル画像を撮影することで、当該デジタル画像から抽出される色情報が所定の条件を満たしている場合には、デジタルコンテンツをコンテンツ提供サーバ３０から入手することができ、当該端末装置２１を使用するユーザは、ゲームを楽しむ感覚で、デジタルコンテンツを入手することができる。
【０１０６】
そして、ゲーム感覚でコンテンツを入手することができるので、ユーザは、コンテンツの取得をより積極的に希望するようになり、ユーザは、より多くのデジタル画像を提供して、より多くのコンテンツを取得しようと試みる。したがって、コンテンツ提供サーバ３０を運営するコンテンツ提供者は、ユーザからより多くの当該ユーザに関わる関連情報を取得することが可能となる。斯くして、このようにして取得したユーザの関連情報を分析，解析することで、統計情報を作成したり、そのトレンドを把握したりすることができる。
【０１０７】
尚、この例においても、端末装置２１からデジタル画像が送信される際に、コンテンツ提供サーバ３０は、当該端末装置２１にそのユーザに関わる他の情報を要求して入手するようにしても良い。また、デジタルコンテンツを返信する態様は、上記の電子メールへのファイル添付形式に限らず、ダウンロード形式でこれを返信するようにしても良い。
【０１０８】
以上、本発明の具体的な実施形態について説明したが、かかる各実施形態において、ユーザが同じデジタル画像を繰り返し使用して、デジタルコンテンツを取得しようとする場合に、これを不正行為として阻止するような処理を加えても良い。
【０１０９】
具体的には、提供条件と照合するための色情報をデジタル画像データから抽出する際に、当該デジタル画像について、予め設定された複数位置（例えば、図４に示すＢ位置，Ｃ位置，Ｄ位置及びＥ位置）の画素の色情報を抽出して、当該デジタル画像の固有値として認識し、これをログ情報として記憶し、新たにユーザがデジタル画像を提供してデジタルコンテンツを取得しようとする場合には、提供されたデジタル画像から前記複数位置の色情報を抽出して、これをログ情報として記憶された前記固有値と照合し、一致するものがある場合には、不正行為として、デジタルコンテンツの提供を拒否するようにする。
【産業上の利用可能性】
【０１１０】
以上詳述したように、本発明は、ユーザに対し、画像，映像，音楽やゲームソフトなどに係るデジタルコンテンツを提供するコンテンツ提供装置，コンテンツ提供サーバ及びコンテンツ提供システムとして好適である。
【図面の簡単な説明】
【０１１１】
【図１】本発明の第１の実施形態に係る携帯電話の概略構成を示した機能ブロック図である。
【図２】第１の実施形態に係るコンテンツ提供処理部における処理手順を示したフローチャートである。
【図３】第１の実施形態における色情報抽出処理について説明するための説明図である。
【図４】第１の実施形態における色情報抽出処理について説明するための説明図である。
【図５】本発明の第２の実施形態に係るコンテンツ提供システムの概略構成を示した説明図である。
【図６】第２の実施形態に係る端末装置の概略構成を示した機能ブロック図である。
【図７】第２の実施形態に係るコンテンツ提供サーバの概略構成を示した機能ブロック図である。
【図８】第２の実施形態に係る端末装置における処理手順を示したフローチャートである。
【図９】第２の実施形態に係るコンテンツ提供サーバにおける処理手順を示したフローチャートである。
【図１０】第２の実施形態の変形例に係る端末装置の概略構成を示した機能ブロック図である。
【図１１】第２の実施形態の変形例に係るコンテンツ提供サーバの概略構成を示した機能ブロック図である。
【図１２】変形例の端末装置における処理手順を示したフローチャートである。
【図１３】変形例のコンテンツ提供サーバにおける処理手順を示したフローチャートである。
【符号の説明】
【０１１２】
１    携帯電話
４    カメラ
５    ディスプレイ
８    撮影処理部
９    第１コンテンツ記憶部
１０  コンテンツ再生処理部
１２  コンテンツ提供装置
１３  コンテンツ提供処理部
１４  提供条件記憶部
１５  第２コンテンツ記憶部
２０  コンテンツ提供システム
２１  端末装置
２２  色情報抽出処理部
２３  色情報送信処理部
２４  コンテンツ受信処理部
３０  コンテンツ提供サーバ
３１  色情報受信処理部
３２  コンテンツ提供処理部
３３  提供条件記憶部
３４  提供コンテンツ記憶部
３５  データベース
４１  画像送信処理部
５１  画像受信処理部
５２  コンテンツ提供処理部
【図１】
2008059207.tif 000003
【図２】
2008059207.tif 000004
【図３】
2008059207.tif 000005
【図４】
2008059207.tif 000006
【図５】
2008059207.tif 000007
【図６】
2008059207.tif 000008
【図７】
2008059207.tif 000009
【図８】
2008059207.tif 000010
【図９】
2008059207.tif 000011
【図１０】
2008059207.tif 000012
【図１１】
2008059207.tif 000013
【図１２】
2008059207.tif 000014
【図１３】
2008059207.tif 000015